(57)【特許請求の範囲】
【請求項１】
河川に設置し、河川水を貯留する回動軸に取付けの転倒堰であって、
前記回動軸に載置接触可能な止水体を設けると共に回動軸に凹部を形成し、
貯留のときには、止水体が転倒堰に載置接触を維持して、転倒堰を垂直状態から下流側の角度（β）に傾斜し、
転倒堰の下流側に形成の窪みに堆積の土砂を排出するときには、前記転倒堰を垂直状態から上流側の角度（α１）に傾斜することにより前記止水体を凹部に挿入して水の排出を可能にすることを特徴とする転倒堰による排砂方法。
【発明の詳細な説明】
【０００１】
【発明の属する技術分野】
本発明は、河川等に設置し、河川水を所定の水位に貯留可能で、且つ、窪みに堆積の土砂等を除去可能な転倒堰による排砂方法に関する。
【０００２】
【従来の技術】
従来、河川に横断する形態で設置の転倒堰１について、断面を示す図４（Ａ、Ａ’）（Ｂ、Ｂ’）、右側面を示す図４（Ｃ）を参照して説明する。
図４（Ａ）に示す転倒堰１は長方形状に板体で製作し、適宜の間隔で、河床に設けてある軸受体１０に、摺動回動可能な回動軸２に取り付けてあり、回動軸２の回転摩擦の軽減を図っている。そのため、図４（Ｃ）に示すように、回動軸２と河床１９との間には、通孔１８が形成してある。
又、回動軸２の上流側には、河床に設置のコンクリート床版１３に固定された支持体９を介して、回動軸２の上に載置接触可能な止水体（ゴム板等）８が設けてあり、この止水体８によって、回動軸２の下部に形成の通孔１８から、下流への排流を防止している。
【０００３】
そして、図示略の駆動体を介して回動軸２を回動させ、転倒堰１を下流側の所定の角度にして、河川水を所定の水位に貯留する。
又、転倒堰１の下流側には、流速を速めるＳ字状の排砂シュート５が設けてあり、転倒堰１を溢流する水は、排砂シュート５で流速を増加させて、河床にコンクリートを打設してある窪み３に堆積の土砂を下流に排砂する。
そのため、洪水時には、転倒堰１が、流水の阻害にならないように、図４（Ａ’）に示すように、下流側に傾斜して、窪み３に倒伏させる。
【０００４】
又、転倒堰１の下流側に堆積の土砂等を除去する他の方策として、前記図４（Ａ）に示す転倒堰１に対し、図４（Ｂ、Ｂ’）に示すように、下流側に整流板６を設置するものもある。尚、この整流板６は、転倒堰１が下流側に倒伏したとき、邪魔にならない位置に設置してある。
そして、転倒堰１を溢流する土砂を含んだ水流の一部は、整流板６を介して下流側に搬送されると共に、一部の水流は整流板６の上流側に巻き込まれ、窪み３に堆積の土砂を下流に搬送する。
【０００５】
【発明が解決しようとする課題】
前記図４（Ａ）に示す排砂シュート５を転倒堰１の下流側に設けると、流木等が排砂シュート５の入口を閉鎖し、排砂機能の低下を起こすことがある。また、転倒堰１を倒伏したとき、排砂シュート５も倒伏するので、窪み３は深く形成する必要があり、この深い窪み３のため、益々、堆積し易くなる。
又、図４（Ｂ）に示す整流板６を設置の場合には、転倒堰１の溢流が整流板６の上に流下する状態であれば効果を発揮するが、溢流量が少ない場合には整流板６の上流側に流下するので堆積し易くなると共に、整流板６の下部においても堆積し易い。
以上のように、図４（Ａ、Ｂ）に示す転倒堰１は、窪み３に堆積の土砂等の除去に問題があるので、本発明は、窪みに堆積の土砂等を簡便に除去する転倒堰による排砂方法を提供するものである。
【０００６】
【課題を解決するための手段】
請求項１の転倒堰による排砂方法は、下記の構成であり、この転倒堰は河川に設置し、河川水を貯留する回動軸に取付けてある。又、前記回動軸に載置接触可能な止水体が設けてあると共に、回動軸に凹部が形成してある。
【０００７】
そして、貯留のときには、止水体が転倒堰に載置接触を維持して、転倒堰を傾斜する。転倒堰は止水体によって回動軸からの漏洩が防止され、河川水を所定の水位に貯留するときには、転倒堰を垂直状態から下流側の角度（β）に傾斜させる。
一方、転倒堰の下流側に形成の窪みに堆積の土砂を排出するときには、転倒堰を垂直状態から上流側の角度α１に傾斜させることによって、前記止水体を凹部に挿入するために、凹部に形成の通孔を介して勢いよく排出する水流で、転倒堰の下流における窪みに堆積の土砂を下流に搬送する。
そのため、洪水時には、流水の阻害にならないように、転倒堰を窪みに倒伏させることができる。
【０００８】
【発明の実施の形態】
（第１の実施の形態）
本発明の一実施の形態を側断面を示す図１を参照して説明する。尚、従来と同じ機能をする部品等には同じ符号を附す。
表面と裏面が平坦な鉄板材で製作の長方形状の転倒堰１は、河川を横断する状態で設置してあり、適宜の間隔で、河床に設けてある軸受体１０に載置する状態で、回動可能な鉄製等の回動軸２に取り付けてあるため、回動軸２の回転摩擦の軽減を図る。
また、図４（Ｃ）に示すように、軸受体１０と軸受体１０の間における回動軸２の下部と、河床１９との間には、通孔１８が形成される。
【０００９】
又、回動軸２の上流側には、河床に設置のコンクリート床版１３に固定された支持体９を介して、回動軸２の上に載置接触可能で、柔軟性がある止水体（ゴム板等）８が設けてあり、この止水体８が回動軸２に密着することによって、下流への排流が防止されている。
また、転倒堰１は、駆動体（図示略）による回動軸２の回動によって、上流側と下流側に位置し、後記で詳述するが、転倒堰１を下流側の所定の角度（β）にすることによって、所定水位の貯留が可能である。
【００１０】
次に、前記転倒堰による排砂方法について、図２を参照して説明する。
（１）所定水位の貯留（図２（Ａ））
所定の水位を維持するときには、駆動体（図示略）を介して回動軸２を時計方向に回動させ、転倒堰１を下流側に、所定の角度（β）にセットする。この転倒堰１の高さ（傾斜角度β）によって、所定の水位で貯留ができる（図２（Ａ））。
又、柔軟なゴム板等の止水体８は、回動軸２に載置状態を維持して、止水体８と回動軸２は閉鎖状態となり、回動軸２の下部に形成の通孔１８からの漏洩は防止されると共に、回動軸２と軸受体１０との隙間に砂等が噛まないので、回動軸２を円滑に回動できる。
一方、洪水時には、転倒堰１を更に下流側に傾斜させ、転倒堰１を窪み３に倒伏させて、流水の阻害にならないようにすることができる（図２（Ｂ））。
【００１１】
（２）堆積砂等の除去（図２（Ｃ））
前記のように転倒堰１を角度βで、水位維持を図っていると、転倒堰１の下流部（河床にコンクリートを打設の窪み３）には、土砂等が堆積する。
そこで、時々、駆動体（図示略）を介して回動軸２を反時計方向に回動させ、転倒堰１を上流側の所定の角度（α）にセットする。
この転倒堰１の上流側への傾斜によって、溢流は転倒堰１の上を高速で流下し、転倒堰１の下流部（窪み３）における堆積物を下流側に搬送するため、洪水時には、図２（Ｂ）に示すように、転倒堰１を窪み３に倒伏することができる。
【００１２】
以上のように、本発明の転倒堰１による排砂方法は、転倒堰１を下流側の適宜に角度（β）に傾斜させることによって、水位維持を図ることができ、転倒堰１を上流側に、角度αに傾斜させることによって、溢流で窪み３に堆積の土砂等を除去できる。
【００１３】
（第２の実施の形態）
次に、図３（Ａ）（Ｂ）は、窪み３に堆積の土砂等を除去する他の構成であり、第１の実施の形態の同じ部品には同じ符号を付して説明を略す。
本実施の形態において、前記第１の実施の形態と異なる構成は、転倒堰１を上流側の所定の角度（α１）にセットしたとき、止水体８が位置する箇所の回動軸２に、凹部１５が形成してある点である。
尚、この凹部１５は、回動軸２（転倒堰１）を反時計方向に所定の角度（α１）に回動し、止水体８と凹部１５が一致したとき、止水体８と回動軸２とで流水を停止できない大きさに形成してある。
【００１４】
この構成の転倒堰１を用いて、所定の水位の貯留するには、前記第１の実施の形態で示す転倒堰１と同様に、駆動体（図示略）を介して回動軸２を時計方向に回動させ、転倒堰１を下流側の角度（β）にセットする（図３（Ａ））。
この時、柔軟性がある止水体８は、回動軸２に載置状態を維持して閉鎖状態となり、回動軸２の下部に形成の通孔１８からの漏洩は防止されると共に、回動軸２と軸受体１０との隙間に砂等が噛まないので、回動軸２を円滑に回動できる。
【００１５】
また、堆積砂等を除去するときには、転倒堰１を上流側の角度（α１）にセットする（図３（Ｂ））。
このとき、止水体８は、回動軸２に形成の凹部１５に挿入されて、流水を阻止できなくなり、この凹部１５に形成の通孔から勢いよく水は排出する。
この下流に向けて勢いよく発生する流水は、回動軸２の下部と河床１９との間に形成の通孔１８を通って排出して、転倒堰１の下流部（窪み３）における堆積物を下流側に搬送する。即ち、河床１９の直ぐ上を流れる流水は、堆積物に対して水平流となり、より確実に、堆積物を下流に搬送することができる。
【００１６】
以上のように、転倒堰１を上流側の角度（α１）にセットして、凹部１５からの排出水で、窪み３に堆積の土砂等を下流に排流した後に、回動軸２を時計方向に（転倒堰１を下流側）回動させて、所定の水位を維持するように運転をしても、柔軟な止水体８は回動軸２に載置状態になるので、噛み合う砂等に影響されず、止水体８は、水圧で押圧されて回動軸２に密着して漏洩防止を図ることができる。
【００１７】
又、前記第１、２の実施の形態は、転倒堰１を上流側に、角度α又はα１に傾斜して、窪み３に堆積の土砂を除去する方法であるが、双方の状態を可能にするように構成してもよい。又、前記実施の形態において、止水体８にはゴム板等を使用する構成であるが、砂等が噛み込んでも、回転可能な柔軟な回転体で構成してもよい。
尚、前記窪み３は、河床から低く掘り下げる箇所を示す他、河床が平坦である場合も含む概念であり、この場合、転倒堰は河床の上に倒伏する。又、本発明は、転倒堰の下流に堆積する土砂を取り除く方法であり、この目的に合致する限り前記実施の形態に限定されない。
【００１８】
【発明の効果】
請求項１の転倒堰による排砂方法は、転倒堰を垂直状態から上流側の所定の角度にすると、止水体と軸受体に形成の凹部とで通孔が形成され、その通孔からの水流によって、転倒堰の下流に形成の窪みに堆積の土砂を下流に搬送できる。
【図面の簡単な説明】
【図１】  第１の実施の形態の転倒堰の断面図である。
【図２】  （Ａ）（Ｂ）（Ｃ）は、第１の実施の形態の転倒堰の運転時の図である。
【図３】  （Ａ）（Ｂ）は、第２の実施の形態の転倒堰の運転時の図である。
【図４】  （Ａ）（Ａ’）（Ｂ）（Ｂ’）は、従来の転倒堰の水位調整時と窪みに倒伏状態を示す断面図、（Ｃ）は左側面図である。
【符号の説明】
１  転倒堰
２  回動軸
８  止水体
１０  軸受体
【図１】
0003806325.tif 000002
【図２】
0003806325.tif 000003
【図３】
0003806325.tif 000004
【図４】
0003806325.tif 000005